(57)【要約】【課題】穀稈搬送装置について、設置上の制約を受けるおそれを少なくして、駆動力を効率よく伝達できるようにすることが望まれていた。【解決手段】刈取穀稈を機体後方に向けて搬送する穀稈搬送装置における株元搬送装置７７に、動力が入力される株元側駆動輪７７Ａと、別の他の案内輪７７Ｂと、株元側無端回動帯７７Ｃと、が備えられ、穂先搬送装置７８に、動力が入力される穂先側駆動輪７８Ａと、別の他の案内輪７８Ｂと、穂先側無端回動帯７８Ｃとが、備えられ、株元側駆動輪７７Ａは、株元側駆動輪７７Ａの回転軸芯に沿う方向視で、穂先側駆動輪７８Ａと異なる箇所に設けられ、株元側駆動輪７７Ａと穂先側駆動輪７８Ａとの間で動力を伝達する動力伝達機構１３０が備えられている。【選択図】図２１
2017225410.tif 000002
【特許請求の範囲】
【請求項１】
刈取穀稈の株元側を挟持搬送する株元搬送装置と、前記株元搬送装置の上方に設けられ、刈取穀稈の穂先側を係止搬送する穂先搬送装置と、前記株元搬送装置と前記穂先搬送装置との間で動力を受渡しする動力伝達機構と、を有し、前記株元搬送装置及び前記穂先搬送装置によって刈取穀稈を機体後方に向けて搬送する穀稈搬送装置が備えられ、
前記株元搬送装置に、動力が入力される株元側駆動輪と、前記株元側駆動輪とは別の他の案内輪と、前記株元側駆動輪と前記株元搬送装置における前記他の案内輪とにわたって巻回された株元側無端回動帯と、が備えられ、
前記穂先搬送装置に、動力が入力される穂先側駆動輪と、前記穂先側駆動輪とは別の他の案内輪と、前記穂先側駆動輪と前記穂先搬送装置における前記他の案内輪とにわたって巻回された穂先側無端回動帯とが、備えられ、
前記株元側駆動輪は、前記株元側駆動輪の回転軸芯に沿う方向視で、前記穂先側駆動輪と異なる箇所に設けられ、
前記動力伝達機構は、前記株元側駆動輪と前記穂先側駆動輪とに亘って設けられ、前記株元側駆動輪と前記穂先側駆動輪との間で動力を伝達するコンバイン。
【請求項２】
前記動力伝達機構に、前記株元側駆動輪を駆動する駆動軸と同一軸芯周りで回転する駆動側回転体と、前記穂先側駆動輪を駆動する駆動軸と同一軸芯周りで回転する従動側回転体と、前記駆動側回転体と前記従動側回転体とにわたって巻回された無端回動帯とが備えられている請求項１に記載のコンバイン。
【請求項３】
前記穂先搬送装置において、前記穂先側無端回動帯の移動経路に、刈取穀稈の穂先側を係止搬送する搬送経路と、刈取穀稈の係止搬送が終了したのちに前記搬送経路の始端部に戻る戻り経路とが備えられ、
前記動力伝達機構は、前記回転軸芯に沿う方向視で、前記戻り経路に対応する箇所に設けられている請求項１又は２に記載のコンバイン。
【請求項４】
前記穂先搬送装置に、前記穂先側駆動輪及び前記穂先搬送装置における前記他の案内輪を回転自在に支持するとともに、前記穂先側無端回動帯を下方側から覆う板状の搬送支持体が備えられ、
前記動力伝達機構は前記搬送支持体の下面側に支持され、
前記動力伝達機構を下方側から覆うカバーが備えられている請求項１から３のいずれか１項に記載のコンバイン。
【発明の詳細な説明】
【技術分野】
【０００１】
本発明は、機体前部の刈取部に刈取穀稈を機体後方に向けて搬送する穀稈搬送装置が備えられたコンバインに関する。
【背景技術】
【０００２】
コンバインでは、穀稈搬送装置の一例として、複数条の刈取穀稈を刈幅方向中央側に寄せ集める合流用搬送装置が備えられ、この合流用搬送装置は、刈取穀稈の株元側を挟持しながら搬送する株元挟持搬送装置と、刈取穀稈の穂先側を係止搬送する穂先係止搬送装置とが、上下に重なった状態で備えられている。そして、従来では、株元挟持搬送装置を駆動する駆動輪と穂先係止搬送装置を駆動する駆動輪とが同一の駆動軸により回転駆動される構成となっていた（例えば、特許文献１参照）。
【先行技術文献】
【特許文献】
【０００３】
【特許文献１】特開２００２−１０１７３３号公報
【発明の概要】
【発明が解決しようとする課題】
【０００４】
上記従来構成では、株元挟持搬送装置を駆動する駆動輪と、穂先係止搬送装置を駆動する駆動輪とが、同一軸芯上に位置するので、株元挟持搬送装置と穂先係止搬送装置とを配備するにあたり、設置上の制約を受けるおそれがある。
【０００５】
例えば、刈取条数が多くなると、上記したような合流用搬送装置においては、株元挟持搬送装置と穂先係止搬送装置とを駆動するための駆動軸は、刈取穀稈が移送される穀稈移送領域の下方側に設ける必要がある。穀稈移送領域の下方側には、中間搬送部以外の他の搬送装置や駆動機構等も存在するので、駆動軸の配置に制約を受ける。その結果、共通の駆動軸で株元挟持搬送装置と穂先係止搬送装置とを駆動するようにすると、それらに備えられる無端回動帯の直線状の移動経路の途中で駆動輪を作用させるように配置しなければならず、駆動力を効率よく伝達できない等の不利があった。
【０００６】
そこで、穀稈搬送装置について、設置上の制約を受けるおそれを少なくして、駆動力を効率よく伝達できるようにすることが望まれていた。
【課題を解決するための手段】
【０００７】
本発明に係るコンバインの特徴構成は、刈取穀稈の株元側を挟持搬送する株元搬送装置と、前記株元搬送装置の上方に設けられ、刈取穀稈の穂先側を係止搬送する穂先搬送装置と、前記株元搬送装置と前記穂先搬送装置との間で動力を受渡しする動力伝達機構と、を有し、前記株元搬送装置及び前記穂先搬送装置によって刈取穀稈を機体後方に向けて搬送する穀稈搬送装置が備えられ、
前記株元搬送装置に、動力が入力される株元側駆動輪と、前記株元側駆動輪とは別の他の案内輪と、前記株元側駆動輪と前記株元搬送装置における前記他の案内輪とにわたって巻回された株元側無端回動帯と、が備えられ、
前記穂先搬送装置に、動力が入力される穂先側駆動輪と、前記穂先側駆動輪とは別の他の案内輪と、前記穂先側駆動輪と前記穂先搬送装置における前記他の案内輪とにわたって巻回された穂先側無端回動帯とが、備えられ、
前記株元側駆動輪は、前記株元側駆動輪の回転軸芯に沿う方向視で、前記穂先側駆動輪と異なる箇所に設けられ、
前記動力伝達機構は、前記株元側駆動輪と前記穂先側駆動輪とに亘って設けられ、前記株元側駆動輪と前記穂先側駆動輪との間で動力を伝達する点にある。
【０００８】
本発明によれば、株元搬送装置において動力が入力される株元側駆動輪と、穂先搬送装置において動力が入力される穂先側駆動輪とが、株元側駆動輪の回転軸芯に沿う方向視で異なる箇所に位置する状態で設けられる。株元側駆動輪と穂先側駆動輪のうちのいずれか一方の駆動輪に外部から動力が伝達され、動力伝達機構によって一方の駆動輪から他方の駆動輪に向けて動力が伝達される。その動力によって、株元側無端回動帯及び穂先側無端回動帯が回動して刈取穀稈が搬送される。
【０００９】
株元側駆動輪と穂先側駆動輪のうちの外部から動力が伝達される一方の駆動輪は、外部の伝動機構による制約を受けるが、他方の駆動輪は、配置に制約を受けることがなく、駆動力を効率よく伝達し易い位置に設置することができる。
【００１０】
その結果、穀稈搬送装置について、設置上の制約を受けるおそれが少なくなり、駆動力を効率よく伝達できるようにすることが可能となった。
【００１１】
本発明においては、前記動力伝達機構に、前記株元側駆動輪を駆動する駆動軸と同一軸芯周りで回転する駆動側回転体と、前記穂先側駆動輪を駆動する駆動軸と同一軸芯周りで回転する従動側回転体と、前記駆動側回転体と前記従動側回転体とにわたって巻回された無端回動帯とが備えられていると好適である。
【００１２】
本構成によれば、株元側駆動輪を駆動する駆動軸と穂先側駆動輪を駆動する駆動軸とを夫々利用して、動力伝達機構における駆動側回転体及び従動側回転体を支持するので、動力伝達機構において、駆動側回転体と従動側回転体とを各別に支持するために、専用の伝動軸を別途設ける必要がない。
【００１３】
従って、簡単な構造の動力伝達機構によって、株元側駆動輪と穂先側駆動輪のうちの一方から他方に向けて動力を伝達することができる。
【００１４】
本発明においては、前記穂先搬送装置において、前記穂先側無端回動帯の移動経路に、刈取穀稈の穂先側を係止搬送する搬送経路と、刈取穀稈の係止搬送が終了したのちに前記搬送経路の始端部に戻る戻り経路とが備えられ、
前記動力伝達機構は、前記回転軸芯に沿う方向視で、前記戻り経路に対応する箇所に設けられていると好適である。
【００１５】
本構成によれば、動力伝達機構が穂先搬送装置における戻り経路に対応する箇所に備えられるので、動力伝達機構に対するメンテナンス作業が行い易い。つまり、穂先搬送装置の搬送経路側は、穀稈移送領域に対応する箇所であり、機体横幅方向の中央側、すなわち、内奥に入り込んだ箇所に位置している。これに対して、戻り経路は、機体横幅方向外方側に位置しているので、機体外方側からメンテナンス作業を行い易いものとなる。
【００１６】
又、戻り経路は、刈取穀稈が存在しないので、刈取穀稈の搬送に伴ってワラ屑や細かな塵埃等が発生しないので、刈取穀稈や穀稈搬送に伴って発生するワラ屑等が、動力伝達機構に巻き付くことを防止できる。
【００１７】
本発明においては、前記穂先搬送装置に、前記穂先側駆動輪及び前記穂先搬送装置における前記他の案内輪を回転自在に支持するとともに、前記穂先側無端回動帯を下方側から覆う板状の搬送支持体が備えられ、
前記動力伝達機構は前記搬送支持体の下面側に支持され、
前記動力伝達機構を下方側から覆うカバーが備えられていると好適である。
【００１８】
本構成によれば、穂先搬送装置に板状の搬送支持体が備えられる。搬送支持体は、穂先搬送装置のフレーム体として機能するものであり、穂先側駆動輪及び他の案内輪を回転自在に支持するとともに、穂先側無端回動帯を下方側から覆っている。
【００１９】
このようなフレーム体として機能する搬送支持体を利用して、その下面側に動力伝達機構が安定した状態で支持される。そして、カバーによって動力伝達機構が下方側から覆われるので、刈取穀稈や穀稈搬送に伴って発生するワラ屑等が、動力伝達機構に巻き付くことを確実に防止できる。
【図面の簡単な説明】
【００２０】
【図１】コンバインの全体側面図である。
【図２】コンバインの全体平面図である。
【図３】刈取部の正面図である。
【図４】通常使用状態の刈取部の側面図である。
【図５】折り畳み状態の刈取部の側面図である。
【図６】通常使用状態の搬送装置の簡略化した平面図である。
【図７】折り畳み状態の搬送装置の簡略化した平面図である。
【図８】刈取部の伝動構造を示す図である。
【図９】引起し装置の一部縦断後面図である。
【図１０】切断装置の平面図である。
【図１１】掻き込み部と切断装置の縦断正面図である。
【図１２】切断装置の一部平面図である。
【図１３】切断装置の一部縦断正面図である。
【図１４】折り畳み側の分割支持枠体の斜視図である。
【図１５】折り畳み側の分割支持枠体の側面図である。
【図１６】折り畳み側の分割支持枠体の斜視図である。
【図１７】他の分割支持枠体の斜視図である。
【図１８】他の分割支持枠体の側面図である。
【図１９】支持枠体の全体斜視図である。
【図２０】回動支持部の分解斜視図である。
【図２１】左側合流搬送部と動力伝達機構を示す概略平面図である。
【図２２】左側合流搬送部の側面図である。
【図２３】動力伝達機構の配置構成を示す平面図である。
【図２４】巻付き防止カバーの取付状態を示す分解斜視図である。
【図２５】ガイド機構の分離状態における斜視図である。
【図２６】ガイド機構の一部切欠背面図である。
【図２７】引起し駆動軸の分離状態を示す背面図である。
【図２８】引起し駆動軸の連結状態を示す背面図である。
【図２９】引起し変速機構の背面図である。
【図３０】動力伝達軸の分割状態を示す縦断正面図である。
【図３１】動力伝達軸の接続状態を示す縦断正面図である。
【発明を実施するための形態】
【００２１】
以下、本発明に係るコンバインの実施形態を図面に基づいて説明する。
【００２２】
〔全体構成〕
図１，２に示すように、本発明に係るコンバインは、走行機体１と、８条の植立穀稈を刈り取る刈取部２とを備えている。刈取部２は、横軸芯Ｐ１まわりで揺動昇降自在に走行機体１に連結され、リフトシリンダ３により駆動昇降可能に設けられている。
【００２３】
この実施形態では、機体前後方向を定義するときは、図１，２において刈取部２が備えられる側が機体前部側であり、その反対側が機体後部側であると定義する。機体左右方向を定義するときは、機体前部を前にして進行する前進走行状態で、進行方向視で右側が機体右側であり、左側が機体左側であると定義する。従って、機体横幅方向が機体の左右方向に対応している。
【００２４】
走行機体１は、左右一対のクローラ走行装置４を備えるとともに、機体前部の右側（横幅方向一方側）に運転部５が備えられ、その後方に、刈取部２にて刈り取られた穀稈を脱穀処理する脱穀装置６と、脱穀処理にて得られた穀粒を貯留する穀粒タンク７とを機体横方向に並ぶ状態で備えている。運転部５はキャビン５ａにて覆われる状態で備えられる。脱穀装置６は、図示はしないが、刈取部２から搬送される刈取穀稈の株元を脱穀フィードチェーン８により挟持して搬送しながら、扱室内部で穂先側を扱き処理し、扱室の下部に備えられた選別部にて穀粒と塵埃に選別処理する。穀粒は穀粒タンク７に貯留し、塵埃は機外に排出する。穀粒タンク７に貯留される穀粒は排出装置７Ａにて外部に排出可能である。脱穀処理後の排ワラは細断装置９にて細断したのちに機外に排出する。
【００２５】
刈取部２は、刈取対象条の植立穀稈を分草案内する複数（９個）の分草具１０を前端部に備えており、その後方に刈取条数に対応した複数（８個）の引起し装置１１と、刈取対象となる植立穀稈の株元を切断する切断装置１２と、縦姿勢の刈取穀稈を徐々に横倒れ姿勢にしながら機体後方に向けて搬送する縦搬送装置１３とを備えている。
【００２６】
９個の分草具１０のうち、最も機体横外側に位置する２個の分草具１０は、植立穀稈を刈取対象と対象外とに分草し、刈取対象穀稈をその分草具１０に隣接する引起し経路に導入し、対象外の穀稈をその引起し経路の横外側に案内する。その他の分草具１０は、２つの植付条に植立する穀稈をその分草具１０の両横側に分草して分草具１０の両横側の引起し経路に導入する。
【００２７】
刈取部２は、左側（未刈側）のクローラ走行装置４よりも大きく左側に突出する状態となっており、未刈穀稈をクローラ走行装置４により踏み倒すおそれがなく、良好に刈取作業を行うことができる（図２，６参照）。
【００２８】
〔引起し装置〕
図１，４に示すように、引起し装置１１は、下端側が機体前部側に位置し且つ上端側ほど機体後方側に位置する後倒れ傾斜状態の起立姿勢で備えられている。そして、図９に示すように、引起し装置１１は、フレームを兼用する引起しケース１４の内部に、上側に位置する駆動スプロケット１５、緊張用スプロケット１６、及び、下側に位置する従動スプロケット１７の夫々にわたって巻回される無端回動チェーン１８が備えられ、その無端回動チェーン１８には、長手方向に沿って所定間隔をあけて複数の引起爪１９が備えられている。引起爪１９は、起立姿勢と倒伏姿勢とに姿勢変更可能に無端回動チェーン１８に支持されている。
【００２９】
図８，９に示すように、８個の引起し装置１１の上部同士に亘って左右方向に延びる引起し駆動軸２０が備えられている。この引起し駆動軸２０からの動力が中継伝動ケース２１内に備えられたギア連動式の中継伝動軸２２を介して駆動スプロケット１５に動力が伝達される。引起し駆動軸２０は断面形状が六角形であり、角形嵌合状態で連動用ギア部に動力を伝達するように構成されている。
【００３０】
引起し装置１１は、引起爪１９が横向きに突出する状態で移動する引起し作用経路Ｈ１と、引起爪１９が引退した状態で移動する非作用戻し経路Ｈ２とを備えている。つまり、無端回動チェーン１８の左右両側の上下移動経路のうちのいずれかが引起し作用経路Ｈ１として設定され、反対側が非作用戻し経路Ｈ２として設定されている。図示はしないが、引起し作用経路Ｈ１においては、無端回動チェーン１８が通過する箇所に引起爪１９を起立案内するガイド板が備えられている。
【００３１】
複数の引起し装置１１は、引起し作用経路Ｈ１同士が近接するとともに、非作用戻し経路Ｈ２同士が近接する状態で、横方向に並ぶように配置されている。そして、各引起し装置１１は、引起し作用経路Ｈ１において引起爪１９が上向きに移動するように回動方向が設定されている。つまり、離接する引起し装置１１同士は、無端回動チェーン１８の回動方向が互いに逆向きに設定されている。
【００３２】
このような構成の引起し装置１１は、引起し作用経路Ｈ１においては、横向きに突出する引起爪１９が穀稈に梳き上げ作用しながら上昇移動し、上昇終端に到達すると、穀稈から外れて引起しケース１４の非作用戻し経路Ｈ２を下降して引起し作用経路Ｈ１側に戻っていく。これにより、各引起し装置１１は、引起し経路に導入された植立穀稈を、上昇移動する引起爪１９によって引起し処理する。
【００３３】
〔切断装置〕
切断装置１２は、全ての刈取対象条（８条）の植立穀稈に作用するように左右方向（刈幅方向に対応する）の全幅にわたる長尺状に形成され、周知構造のバリカン型刈刃にて構成されている。切断装置１２は、８条の刈取条のうち、左側２条の刈取条に作用する左側切断部１２Ａと、右側６条の刈取条に作用する右側切断部１２Ｂとに分割形成されている。
【００３４】
右側切断部１２Ｂについて説明する。
図１０に示すように、右側切断部１２Ｂは、左右方向に並設した２分割された２組のバリカン型の刈刃２５と、２組の刈刃２５をそれぞれ駆動する左右の刈刃駆動機構２６とを備えている。左右の刈刃２５は、それぞれ左右方向に多数の歯２７ａが並設された固定刃２７と、この固定刃２７の上側に摺接する状態で多数の歯２８ａが並設された可動刃２８と、固定刃２７を受止め支持する受け台２９と、可動刃２８の浮き上がりを防止する複数のナイフクリップ３０とを備えている。
【００３５】
図１０に示すように、左右の各可動刃２８の外側寄り近くに可動刃操作体３１を備え、この可動刃操作体３１に作用する刈刃駆動機構２６の駆動によって、可動刃２８を固定刃２７に対して機体横幅方向に沿って左右往復駆動するように構成されている。
【００３６】
可動刃操作体３１には平面視Ｕ字状の係入溝３２を備えている。刈刃駆動機構２６は、可動刃操作体３１の係入溝３２に係入する操作ローラ３３を一端部に備えたアーム３４、このアーム３４の他端部に一端側が連結された連動ロッド３５、この連動ロッド３５の他端側に連結されたクランクアームとして機能する駆動回転体３６を備えている。そして、駆動回転体３６の回転駆動力を往復動力に変換して可動刃２８を左右往復駆動する。
【００３７】
可動刃２８を左右方向に往復スライド駆動することによって、可動刃２８と固定刃２７との協働により植立穀稈の株元を切断する。左右両側の刈刃２５における夫々の可動刃２８は、互いに逆向きにスライド移動するように構成され、可動刃２８のスライド操作に伴う振動をできるだけ少なくするようにしている。
【００３８】
図１２，１３に示すように、左右両側の刈刃２５における左右中間の突き合わせ部には、左右両側の可動刃２８の上側に位置する上部側の固定刃３７が備えられている。このように突き合わせ部では、固定刃３７が上側に位置することで、突き合わせ箇所において、塵埃が固定刃３７と可動刃２８との間に噛み込まれることを防止している。上部側の固定刃３７は、左右の刈刃２５に夫々各別に備えられている。
【００３９】
左側切断部１２Ａについて説明する。
図１０に示すように、左側切断部１２Ａは、右側切断部１２Ｂにおける刈刃２５と同様な構成のバリカン型刈刃３８と、その刈刃３８を駆動する刈刃駆動機構３９（他の動力伝達部の一例）とを備えている。刈刃３８は、刈取条数が異なる点以外は、右側切断部１２Ｂの刈刃２５と同じであるから詳細な説明は省略する。刈刃駆動機構３９についても、右側切断部１２Ｂの刈刃駆動機構２６と同じであるから詳細な説明は省略する。このように、左側切断部１２Ａと右側切断部１２Ｂは、夫々各別に、刈刃駆動機構２６，３９を備えている。
【００４０】
右側切断部１２Ｂにおける左側に位置する刈刃２５と、左側切断部１２Ａの刈刃３８との突き合わせ部には、右側切断部１２Ｂにおける突き合わせ部と同様に、可動刃２８の上側に位置する上部側の固定刃３７が備えられている。この上部側の固定刃３７は、右側切断部１２Ｂにおける左側刈刃２５と左側切断部１２Ａの刈刃３８とに夫々各別に備えられている。左側切断部１２Ａの刈刃３８における可動刃２８は、右側切断部１２Ｂにおける左側刈刃２５における可動刃２８のスライド移動方向と逆向きにスライド移動するように構成されている。
【００４１】
左側切断部１２Ａと右側切断部１２Ｂとは、可動刃２８、固定刃２７、受け台２９の夫々が、各別に形成されており、突き合わせ状態では近接して並ぶ状態で備えられる。後述する収納状態（折り畳み状態）では、互いに分離可能に設けられている。
【００４２】
〔縦搬送装置〕
図４，６に示すように、縦搬送装置１３は、刈取穀稈を２条分ずつ寄せ集めながら後方に掻き込む複数の掻き込み部４０、右側から１番目の条と２番目の条の２条分の刈取穀稈を左後方側の合流箇所に搬送する第１中間搬送部４１、右側から３番目の条と４番目の条の２条分の刈取穀稈を後方側の合流箇所に搬送する第２中間搬送部４２、右側から５番目の条と６番目の条の２条分の刈取穀稈を合流箇所に搬送する第３中間搬送部４３、右側から７番目の条と８番目の条の２条分、すなわち左側端部２条分の刈取穀稈を後方に搬送する第４中間搬送部４４、第４中間搬送部４４により搬送される刈取穀稈を受け継いで合流箇所に搬送する本発明に係る穀稈搬送装置としての左側合流搬送部４５、合流箇所にて合流した８条の刈取穀稈を脱穀フィードチェーン８の始端部にまで搬送する供給搬送部４６、第１中間搬送部４１にて搬送される刈取穀稈並びに合流箇所にて合流された刈取穀稈の穂先側に作用して穂先側を係止案内する第１穂先係止搬送装置４７を備えている。
【００４３】
図６，１１に示すように、掻き込み部４０は、切断装置１２の上方近くに機体左右方向に並んで位置して噛み合い回動する一対の穀稈掻き込み用の回転式のパッカー４８，４９（外形が略星形に形成された掻き込み回転体）からなる下側掻き込み装置５０と、その下側掻き込み装置５０よりも上方に位置する一対の突起付き無端回動ベルトからなる上側掻き込み装置５２とを備える。そして、このような掻き込み部４０が、左右方向（刈幅方向）に並ぶ状態で４組備えられている。
【００４４】
下側掻き込み装置５０は、切断装置１２で刈り取り処理された２条分の刈取穀稈の株元側を一対のパッカー４８，４９の間に掻き込んでパッカー間から機体後方に向けて送り出す。この下側掻き込み装置５０は、一対のパッカー４８，４９のうちのいずれか一方のパッカー４８が動力伝達される駆動側パッカーとして構成され、他方のパッカー４９が、駆動側パッカー４８に噛み合って従動する従動側パッカーとして構成されている。
【００４５】
上側掻き込み装置５２における一対の無端回動ベルト５１は、左右のパッカー４８，４９から夫々動力が伝達されて回動するように構成され、２条分の刈取穀稈の株元側を係止搬送により掻き込み後方に送り出す。
【００４６】
図６に示すように、右側端部に位置する下側掻き込み装置５０及び右側から３番目の下側掻き込み装置５０は高い位置に配置され、右側から２番目の下側掻き込み装置５０及び左側端部に位置する下側掻き込み装置５０は低い位置に配置されている。
【００４７】
図６に示すように、第１中間搬送部４１は、最右側の掻き込み部４０により掻き込まれた２条分の刈取穀稈の株元を挟持しながら左後方側に向けて搬送する第１株元挟持搬送装置５３と、第１穂先係止搬送装置４７の前半部分とで構成される。
【００４８】
第１株元挟持搬送装置５３は、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して合流箇所に搬送する。
【００４９】
第１穂先係止搬送装置４７は、複数のスプロケットにわたって巻回された係止突起付きの無端回動チェーン５７と、刈取穀稈の穂先部を載置しながら案内する穂先案内板５８（図４参照）とを備えている。無端回動チェーン５７に所定ピッチをあけて係止突起５９が備えられ、無端回動チェーン５７が回動することで刈取穀稈の穂先側を係止しながら、且つ、刈取穀稈の穂先部を穂先案内板５８にて載置案内しながら左後方に搬送するように構成されている。この第１穂先係止搬送装置４７の後半部分は、合流箇所にて合流された８条分の刈取穀稈に対する穂先側の係止搬送を行うように構成されている。
【００５０】
第２中間搬送部４２は、右端から２番目の掻き込み部４０により掻き込まれた２条分の刈取穀稈の株元を挟持しながら後方側の合流箇所に向けて搬送する第２中間株元挟持搬送装置６１と、２条分の刈取穀稈の穂先側を係止搬送しながら後方側に向けて搬送する第２中間穂先係止搬送装置６２とを備えている。
【００５１】
第２中間株元挟持搬送装置６１は、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して合流箇所に搬送する。
【００５２】
第２中間穂先係止搬送装置６２は、複数のスプロケットにわたって巻回された係止突起付きの無端回動チェーンを備え、無端回動チェーンが回動することで刈取穀稈の穂先側を係止しながら、後方側の合流箇所に搬送する。
【００５３】
第３中間搬送部４３は、右端から３番目の掻き込み部４０により掻き込まれた２条分の刈取穀稈の株元を挟持しながら後方側の合流箇所に向けて搬送する第３中間株元挟持搬送装置６７と、２条分の刈取穀稈の穂先側を係止搬送しながら後方側に向けて搬送する第３中間穂先係止搬送装置６８とを備えている。
【００５４】
第３中間株元挟持搬送装置６７は、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して合流箇所に搬送する。
【００５５】
第３中間穂先係止搬送装置６８は、複数のスプロケットにわたって巻回された係止突起付きの無端回動チェーンを備え、無端回動チェーンが回動することで刈取穀稈の穂先側を係止しながら、後方側の合流箇所に搬送する。
【００５６】
第４中間搬送部４４は、最左側の掻き込み部４０により掻き込まれた２条分の刈取穀稈の株元を挟持しながら後方に向けて搬送する第４中間株元挟持搬送装置７４と、２条分の刈取穀稈の穂先側を係止搬送しながら後方側に向けて搬送する第４中間穂先係止搬送装置７５とを備えている。
【００５７】
第４中間株元挟持搬送装置７４は、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して後方に搬送する。
【００５８】
第４中間穂先係止搬送装置７５は、複数のスプロケットにわたって巻回された係止突起付きの無端回動チェーンを備えている。無端回動チェーンが回動することで刈取穀稈の穂先側を係止しながら、後方側の合流箇所に搬送する。
【００５９】
左側合流搬送部４５は、第４中間搬送部４４により搬送される刈取穀稈を受け継いで、株元を挟持しながら後方側の合流箇所に向けて搬送する左側合流用株元挟持搬送装置７７と、刈取穀稈の穂先側を係止搬送しながら後方側に向けて搬送する左側合流用穂先係止搬送装置７８とを備えている。この左側合流搬送部４５は、搬送途中で、第３中間搬送部４３により搬送される刈取穀稈を合流する。第４中間搬送部４４により搬送される刈取穀稈及び第３中間搬送部４３により搬送される刈取穀稈を、第１中間搬送部４１及び第２中間搬送部４２により搬送される刈取穀稈と合流する合流箇所まで搬送する。その結果、左側合流搬送部４５は、長い搬送経路を備える大型の搬送部として構成されている。
【００６０】
図２１に示すように、左側合流用株元挟持搬送装置７７は、株元側駆動輪としての株元側駆動スプロケット７７Ａと、他の案内輪としての３つの従動スプロケット７７Ｂと、それらにわたって巻回された株元側無端回動帯としての株元側無端回動チェーン７７Ｃとを備えている。図示はしないが、株元側無端回動チェーン８１に対向して挟持レールが備えられ、株元側無端回動チェーン８１と挟持レールとにより刈取穀稈の株元を挟持して合流箇所に搬送する。
【００６１】
図２１に示すように，左側合流用穂先係止搬送装置７８は、穂先側駆動輪としての穂先側駆動スプロケット７８Ａと、他の案内輪としての２つの従動スプロケット７８Ｂと、それらにわたって巻回された穂先側無端回動帯としての係止突起付きの穂先側無端回動チェーン７８Ｃとを備えている。穂先側無端回動チェーン７８Ｃが回動することで刈取穀稈の穂先側を係止しながら、後方側の合流箇所に搬送する。
【００６２】
上述したような第１中間搬送部４１、第２中間搬送部４２、第３中間搬送部４３、及び、左側合流搬送部４５により搬送される刈取穀稈は、合流箇所にて合流したのち、供給搬送部４６にて後方に搬送される。
【００６３】
図６に示すように、供給搬送部４６は、合流箇所にて合流した刈取穀稈の株元を挟持して脱穀フィードチェーン８に向けて搬送する扱深さ用搬送装置８４と、その扱深さ用搬送装置８４から脱穀フィードチェーン８の始端部に刈取穀稈を受け渡す受け渡し供給装置８５とを備えている。扱深さ用搬送装置８４及び受け渡し供給装置８５は、共に、複数のスプロケットにわたって巻回された無端回動チェーンを備えている。図示はしないが、無端回動チェーンに対向して挟持レールが備えられ、無端回動チェーンと挟持レールとにより刈取穀稈の株元を挟持して搬送する。
【００６４】
図示はしないが、扱深さ用搬送装置８４は、搬送始端側を支点にして搬送終端側が稈長方向に移動するように揺動自在に支持され、合流箇所から受け継いだ刈取穀稈を稈長方向（上下方向）に位置変更して、脱穀装置６に対する入り込み深さを変更調整できるように構成されている。
【００６５】
次に、刈取部２のフレーム構造について説明する。
図１９に示すように、刈取部２は、支持枠体Ｆにより全体が支持され、図４に示すように、横軸芯Ｐ１まわりで揺動自在に機体側の支持台９０に支持されている。支持枠体Ｆは、以下に説明するような複数のフレームが一体的に連結されて構成されている。
【００６６】
図４に示すように、刈取部２全体を昇降自在に支持する円筒状の支持フレーム９１が備えられている。この支持フレーム９１は、後上部の基端側に備えられた横向きの枢支部９２（図１９参照）が機体側の支持台９０に横軸芯Ｐ１まわりで回動自在に支持されている。支持フレーム９１は、支持台９０から機体前方下方に向けて延びている。
【００６７】
図１９に示すように、支持フレーム９１の前端部に左右方向すなわち刈幅方向に延びる円筒状の後部横フレーム９３が連結されている。この後部横フレーム９３の機体横幅方向両端部に、機体前方に向けて延びる状態で左右両側の分草フレーム９４が連結されている。これら左右両端部の分草フレーム９４の前後途中部同士に亘って架設される状態で、機体横幅方向に延びる角筒状の中間部横フレーム９５（横向きフレームの一例）が連結されている。切断装置１２は、この中間部横フレーム９５に支持されている。
【００６８】
左右両端部の分草フレーム９４の間に、間隔をあけて複数の分草フレーム９４が備えられ、それら中間部の分草フレーム９４は、後端部が中間部横フレーム９５に連結され、機体前方に向けて片持ち状に延設されている。分草フレーム９４は合計９本備えられ、各分草フレーム９４の前端部には夫々、分草具１０が備えられている。
【００６９】
図４，１９に示すように、後部横フレーム９３の左側端部から上方に向けて円筒状の左側上下向きフレーム９６が延設されている。後部横フレーム９３の右側端部から上方に向けて棒状の右側上下向きフレーム９７が延設されている。そして、左側上下向きフレーム９６の上端部と右側上下向きフレーム９７の上端部とにわたって上部側横向きフレーム９８が連結されている。この上部側横向きフレーム９８は、８個の引起し装置１１の夫々の上端部同士にわたって左右方向に沿って延び且つ各引起し装置１１の上端部に連結されている。
【００７０】
８個の引起し装置１１は夫々、上側が上部側横向きフレーム９８に連結され、下側が分草フレーム９４に連結される。従って、各引起し装置１１は、連結された状態では、上部側横向きフレーム９８と分草フレーム９４とを連結するフレーム部材として機能する。
【００７１】
各引起し装置１１は、詳述はしないが、中継伝動ケース２１と一体的に上部側横向きフレーム９８に対して横向き軸芯まわりで相対回動自在に支持されている。分草フレーム９４に対する連結を解除すると、引起し装置１１全体を横向き軸芯まわりで回動させて、刈取部２の前部を大きく開放させることができる。
【００７２】
引起し装置１１を揺動開放させると、上部側横向きフレーム９８に荷重が掛かるので、剛性を確保するために、図１８，１９に示すように、上部側横向きフレーム９８と分草フレーム９４とを連結する縦向きの補助連結杆１００が複数備えられている。さらに、縦搬送装置１３の上方を迂回する状態で、支持フレーム９１の上端部と上部側横向きフレーム９８の横方向中間部とを連結する上部迂回フレーム１０１が備えられている。
【００７３】
上述したような複数種のフレームが連結されて刈取部２全体を支持する支持枠体Ｆが形成されている。そして、この支持枠体Ｆにおいては、機体横幅方向両端部に位置する分草フレーム９４と、左右の上下向きフレーム９６，９７と、機体横幅方向両端部に位置する引起し装置１１とが、機体側面視で略三角形状に配置され、それらが連結されている。その結果、機体横幅方向両端部において強固な支持構造が形成されている。
【００７４】
〔伝動構造〕
次に、刈取部２に対する伝動構造について説明する。
図４に示すように、図示しないエンジンの出力を刈取用の無段変速装置１０２にて変速した後の動力が、支持フレーム９１の枢支部９２（図１９参照）の内部に備えられた横向き伝動軸１０３に伝達される。そして、図８に示すように、横向き伝動軸１０３から支持フレーム９１の内部に備えられた前後向きの入力軸１０４を介して動力が伝達される。
【００７５】
上述した変速後の動力が、前後向きの入力軸１０４から後部横フレーム９３の内部に備えられた横向きの動力伝達軸１０５に伝達される。この動力伝達軸１０５は、刈取部２の刈幅方向の略全幅にわたって延びる状態で備えられている。その動力伝達軸１０５の両側端部及び左右方向中間部に設けられた分岐部１０６を介して、切断装置１２の右側切断部１２Ｂの２組の刈刃２５と左側切断部１２Ａの１組の刈刃３８に夫々動力が伝達される。
【００７６】
さらに、動力伝達軸１０５の途中の分岐部１０７から左側合流搬送部４５に動力が伝達され、動力伝達軸１０５の左側に備えられた分岐部１０８から左側上下向きフレーム９６の内部に備えられた縦向きの中継軸としての縦向き伝動軸１０９を経由して、８個の引起し装置１１、第４中間搬送部４４、及び、最左側の掻き込み部４０の夫々に動力が伝達される。
【００７７】
次に、左側合流搬送部４５の駆動構造について説明を加える。
図６，７，８，２１に示すように、左側合流搬送部４５においては、左側合流用株元挟持搬送装置７７の株元側駆動スプロケット７７Ａと、左側合流用穂先係止搬送装置７８の穂先側駆動スプロケット７８Ａとが、株元側駆動スプロケット７７Ａの回転軸芯に沿う方向視で異なる箇所に位置するように設けられている。
【００７８】
説明を加えると、図２１に示すように、左側合流用株元挟持搬送装置７７は、搬送上流側に１個の従動スプロケット７７Ｂが位置し、搬送下流側に前後方向に離間した状態で２個の従動スプロケット７７Ｂが位置して、平面視で略三角形状に配置された合計３個の従動スプロケット７７Ｂが備えられ、それらにわたって株元側無端回動チェーン７７Ｃが巻回されている。又、搬送上流側の従動スプロケット７７Ｂと、搬送下流側における後部側の従動スプロケットとにわたる張設箇所に係止作用する１個の駆動スプロケット７７Ａが備えられている。
【００７９】
株元側無端回動チェーン７７Ｃは、搬送上流側の従動スプロケット７７Ｂと搬送下流側における前部側の従動スプロケット７７Ｂとにより張設される箇所にて、刈取穀稈を挟持搬送する搬送経路が形成されている。駆動スプロケット７７Ａは刈取穀稈に対して搬送作用しない戻り経路の途中部に噛み合い連動している。駆動スプロケット７７Ａの両側には、駆動スプロケット７７Ａの巻き掛け長さを長くするための一対の案内スプロケット７７Ｄが備えられている。
【００８０】
図２１に示すように、左側合流用穂先係止搬送装置７８は、搬送上流側に１個の従動スプロケット７８Ｂが位置し、搬送下流側に前後方向に離間させた状態で１個の従動スプロケット７８Ｂと駆動スプロケット７８Ａとが位置して、平面視で略三角形状に配置された合計３個のスプロケット７８Ａ，７８Ｂに穂先側無端回動チェーン７８Ｃが巻回されている。
【００８１】
左側合流用穂先係止搬送装置７８は、搬送上流側のスプロケット７８Ｂと搬送下流側のうち前部側に位置するスプロケット７８Ｂとにより張設される箇所にて、刈取穀稈を係止搬送する搬送経路Ｑ１が形成されている。そして、搬送上流側のスプロケット７８Ｂと搬送下流終端側のうち後部側に位置する駆動スプロケット７８Ａとにより張設される箇所には、刈取穀稈の係止搬送が終了したのちに前記搬送経路の始端部に戻る戻り経路Ｑ２が形成されている。
【００８２】
図２２，２３に示すように、左側合流用穂先係止搬送装置７８は、平面視で略三角形状の板体からなる板状の搬送支持体７８Ｄを備え、駆動スプロケット７８Ａ及び２つの従動スプロケット７８Ｂは夫々、搬送支持体７８Ｄにて回動自在に支持されている。穂先側無端回動チェーン７８Ｃは搬送支持体７８Ｄの上面側に備えられている。
【００８３】
株元側駆動スプロケット７７Ａと穂先側駆動スプロケット７８Ａとに亘って設けられ、株元側駆動スプロケット７７Ａと穂先側駆動スプロケット７８Ａとの間で動力伝達を行う中継用の動力伝達機構１３０が備えられている。
【００８４】
図２１に示すように、動力伝達機構１３０は、株元側駆動スプロケット７７Ａを駆動する駆動軸１３１と同一軸芯周りで回転する駆動側回転体としての中継用駆動スプロケット１３２、穂先側駆動スプロケット７８Ａを駆動する駆動軸１３３と同一軸芯周りで回転する従動側回転体としての中継用従動スプロケット１３４、及び、中継用駆動スプロケット１３２と中継用従動スプロケット１３４とにわたって巻回された無端回動帯としての中継用無端回動チェーン１３５を備えている。
【００８５】
動力伝達機構１３０は、搬送支持体７８Ｄの下面側に支持されている。すなわち、図２２に示すように、株元側駆動スプロケット７７Ａを駆動する駆動軸１３１は、動力伝達軸１０５の途中の分岐部１０７から上方に向けて延設され、株元側駆動スプロケット７７Ａが外嵌装着される。駆動軸１３１は、搬送支持体７８Ｄの下面側に至るまで上方に延び、上端部が搬送支持体７８Ｄに回動自在に支持されている。そして、この駆動軸１３１に中継用駆動スプロケット１３２が装着されている。
【００８６】
図２２に示すように、穂先側駆動スプロケット７８Ａを支持する駆動軸１３３は、搬送支持体７８Ｄを挿通して搬送支持体７８Ｄの下面側にまで延びている。この駆動軸１３３の搬送支持体７８Ｄよりも下方側への突出部分に中継用従動スプロケット１３４が取り付けられている。そして、搬送支持体７８Ｄの下面側において、中継用駆動スプロケット１３２と中継用従動スプロケット１３４とにわたって中継用無端回動チェーン１３５が巻回張設されている。中継用無端回動チェーン１３５に緊張力を付与する板バネ式のタイトナー１３６が備えられている。タイトナー１３６は、一端側が搬送支持体７８Ｄの下面側に固定のピン１３６ａに支持され、他端側が受止め体１３６ｂに当て付ける状態で備えられている。
【００８７】
図２１に示すように、動力伝達機構１３０は、左側合流用穂先係止搬送装置７８における戻り経路Ｑ２に対応する箇所に備えられている。
【００８８】
動力伝達機構１３０を下方側から覆う巻付き防止カバー１４０が備えられている。
図２４に示すように、巻付き防止カバー１４０は、動力伝達機構１３０における中継用従動スプロケット１３４が備えられる搬送終端側を覆う後部側箇所が断面略Ｕ字形に形成されている。一方、中継用駆動スプロケット１３２が備えられる搬送始端側を覆う前部側箇所が断面略Ｌ字形に形成されている。
【００８９】
説明を加えると、左側合流用穂先係止搬送装置７８は、搬送始端部が前下方側に位置し、搬送終端部が後上方側に位置しており、後上がり傾斜姿勢に設けられている。従って、巻付き防止カバー１４０の後部側箇所が高い位置にあるので、ワラ屑等が降りかかるのを防止するために、断面略Ｕ字形に形成して外方に臨む箇所を広く覆うようにしている。
【００９０】
巻付き防止カバー１４０の前部側箇所は、左側面１４１が動力伝達機構１３０の左横側外方の略全域を覆うように幅広に形成され、且つ、中継用無端回動チェーン１３５の外方に臨む箇所を下側からも覆うように幅狭の下面１４２を備えて、断面略Ｌ字形に形成されている。また、右側箇所は、タイトナー１３６に対するメンテナンス等のため、及び、侵入した塵埃を容易に下方に排出させるために、大きく開放させている。
【００９１】
巻付き防止カバー１４０は、搬送支持体７８Ｄの下面側に複数箇所をボルト連結にて固定されている。図２４に示すように、巻付き防止カバー１４０の後部側箇所の右側部（内奥側）には、Ｕ字状の切欠１４３が形成されている。搬送支持体７８Ｄにおける切欠１４３が対応する箇所には、ブラケット１４４が一体連結され、このブラケット１４４にボルト１４６が予め装着される。切欠１４３にボルト１４６が入り込むように、下方側から巻付き防止カバー１４０を装着して、外方側からボルト１４６を締め付けることができる。
【００９２】
巻付き防止カバー１４０の左側面１４１の前端側箇所及び後端側箇所には、夫々、ボルト１４８が予め装着される。搬送支持体７８Ｄにおけるボルト１４８が対応する箇所には、ブラケット１４９が一体連結され、このブラケット１４９にＵ字状の切欠１５０が形成されている。予め装着されているボルト１４８が切欠１５０に入り込むように、下方側から巻付き防止カバー１４０を装着して、外方側からボルト１４８を締め付けることができる。
【００９３】
すなわち、巻付き防止カバー１４０は、３つの連結箇所において、ボルト１４６，１４８が切欠１４３，１５０に入り込むように搬送支持体７８Ｄの下方側から装着させて、ボルト１４６，１４８を締結することで搬送支持体７８Ｄに固定することができる。
【００９４】
図８に示すように、縦向き伝動軸１０９の上下途中から動力が分岐されて、第４中間搬送部４４に動力が伝達され、第４中間搬送部４４から最左側（右から４番目）の掻き込み部４０に動力が伝達される。
【００９５】
上部側横向きフレーム９８に沿って左右方向の全幅に亘る状態で、引起し装置１１の上部同士にわたる横向きの引起し駆動軸２０が備えられている。そして、縦向き伝動軸１０９からの動力が、ギアシフト式の引起し変速機構１１０により変速されたのち、引起し駆動軸２０に伝達される。引起し駆動軸２０から８個の引起し装置１１の夫々に動力が伝達される。
【００９６】
引起し変速機構１１０は、詳述はしないが、上下方向にスライド操作可能な操作軸１１０Ａを操作することで、低速、中速、高速の３段階に切り換え変速可能に構成されている。運転部５に近い位置に備えられた変速操作具（図示せず）がリンク機構１１１を介して操作軸１１０Ａに連動連係されている。図２９に示すように、リンク機構１１１は、引起し変速機構１１０の伝動ケース１１０Ｂの下部に前後軸芯Ｐ２周りで回動自在に支持された略Ｌ字形の揺動リンク１１１Ａと、揺動リンク１１１Ａの上端部と変速操作具とを連動連結する押引きロッド１１１Ｂ等を備えている。
【００９７】
図８に示すように、入力軸１０４の伝動途中部から、右側に位置する３組の掻き込み部４０、第１中間搬送部４１、第２中間搬送部４２、第３中間搬送部４３、供給搬送部４６の夫々に動力が伝達される。第１穂先係止搬送装置４７における無端回動チェーン５７に対しては、横向き伝動軸１０３から動力伝達される。
【００９８】
入力軸１０４の伝動途中部に設けられた第１分岐部１１２にて第１分岐伝動軸１１３に動力が分岐伝達され、その第１分岐伝動軸１１３から第２中間搬送部４２における第２中間株元挟持搬送装置６１及び第２中間穂先係止搬送装置６２夫々に動力が伝達される。そして、第２中間株元挟持搬送装置６１の動力が右側から２番目の掻き込み部４０に伝達される。
【００９９】
第１分岐伝動軸１１３の途中部から第２分岐伝動軸１１４に動力が分岐され、第２分岐伝動軸１１４から第３中間搬送部４３における第３中間株元挟持搬送装置６７及び第３中間穂先係止搬送装置６８夫々に動力が伝達される。そして、第３中間株元挟持搬送装置６７の動力が右端から３番目の掻き込み部４０に伝達される。
【０１００】
入力軸１０４の伝動途中部に設けられた第２分岐部１１７にて第３分岐伝動軸１１８と第４分岐伝動軸１１９に動力が分岐され、第３分岐伝動軸１１８から第１中間搬送部４１における第１株元挟持搬送装置５３に動力が伝達され、第１株元挟持搬送装置５３の動力が最右側の掻き込み部４０に伝達される。第４分岐伝動軸１１９から扱深さ用搬送装置８４に動力が伝達される。
【０１０１】
〔刈取部分割構造〕
刈取部２は、刈幅方向の途中位置にて一方側分割刈取部２Ａと他方側分割刈取部２Ｂとに分割形成され、且つ、一方側分割刈取部２Ａが他方側分割刈取部２Ｂに対して姿勢変更して、横幅が通常使用状態における横幅よりも短い収納状態に切り換え可能に構成されている。
【０１０２】
すなわち、左側２条分に対応する部分が一方側分割刈取部２Ａを構成し、右側６条分に対応する部分が他方側分割刈取部２Ｂを構成して、一方側分割刈取部２Ａが、他方側分割刈取部２Ｂに対して、左右方向に一連に並ぶ状態（図１〜４，６参照）（通常使用状態に対応）と、一方側分割刈取部２Ａの前面と他方側分割刈取部２Ｂの前面とが向かい合う状態で折り重なって収納される状態（図５，７参照）（収納状態に対応）とにわたり、上下向き軸芯Ｘまわりで回動自在に支持されている。
【０１０３】
すなわち、刈幅方向において、一方側分割刈取部２Ａと他方側分割刈取部２Ｂとの間に、後述するような縦向き姿勢の回動支軸（支持ピン）が備えられ、一方側分割刈取部２Ａが他方側分割刈取部２Ｂに対して回動支軸の上下向き軸芯Ｘ周りで回動して、刈取部２は、通常使用状態と収納状態とに切り換えられる。
【０１０４】
説明を加えると、刈取部２は、上下向き軸芯Ｘまわりで、引起し装置１１、切断装置１２、及び、縦搬送装置１３の夫々が一体的に折り畳み可能に構成されている。右端から６番目の引起し装置１１と７番目の引起し装置１１との間に回動用の軸芯Ｘが設けられている。
【０１０５】
右端から６番目の引起し装置１１と７番目の引起し装置１１とは、非作用戻し経路Ｈ２同士が近接する状態で隣り合うので、それらの間に設定された軸芯Ｘまわりで回動させて折り畳むと、引起爪１９同士が干渉することなく円滑に収納することができる。
【０１０６】
左側切断部１２Ａと右側切断部１２Ｂとは、夫々、可動刃２８及び固定刃２７だけでなく受け台２９も各別に形成されており、それらが分離可能に構成されている。
【０１０７】
縦搬送装置１３は、一方側分割刈取部２Ａに対応する一方側搬送部１３Ａと、他方側分割刈取部２Ｂに対応する他方側搬送部１３Ｂとを備えている。すなわち、図７に示すように、第４中間搬送部４４及び最左側の掻き込み部４０が一方側搬送部１３Ａに対応しており、それ以外の搬送用の装置、つまり、左側合流搬送部４５、右側に位置する３組の掻き込み部４０、第１中間搬送部４１、第２中間搬送部４２、第３中間搬送部４３、供給搬送部４６の夫々が、他方側搬送部１３Ｂに対応している。
【０１０８】
図６に示すように、最左側の掻き込み部４０より掻き込まれて、第４中間搬送部４４により後方に搬送された左側２条分の刈取穀稈は、左側合流搬送部４５による受け取り位置まで搬送され、その後は、左側合流搬送部４５により合流箇所に向けて搬送される。従って、一方側搬送部１３Ａ（第４中間搬送部４４及び最左側の掻き込み部４０）は、他方側搬送部１３Ｂにて搬送される位置（受け取り位置）まで独立して刈取穀稈を搬送するように構成されている。
【０１０９】
図４，６に示すように、通常使用状態では、第４中間搬送部４４における第４中間株元挟持搬送装置７４は、左側合流搬送部４５における左側合流用株元挟持搬送装置７７に対して上下方向に沿って一部重複するように、下方側に入り込む状態で設けられる。又、第４中間搬送部４４における第４中間穂先係止搬送装置は、左側合流搬送部４５における左側合流用穂先係止搬送装置７８に対して上下方向に沿って一部重複するように、下方側に入り込む状態で設けられる。
【０１１０】
後部横フレーム９３は、一方側分割刈取部２Ａと他方側分割刈取部２Ｂとの分離箇所に対応する境界部において左右に分割形成され、それらが分離可能にフランジ接続されている。そして、収納状態では左右両側に分離し、通常使用状態では一体的に接続されるように構成されている。
【０１１１】
中間部横フレーム９５は、一方側分割刈取部２Ａと他方側分割刈取部２Ｂとの分離箇所に対応する境界部において、刈幅方向に沿って一方側フレーム体９５Ａと他方側フレーム体９５Ｂとに分割形成されている。そして、収納状態では一方側フレーム体９５Ａと他方側フレーム体９５Ｂとが分離し、通常使用状態では一方側フレーム体９５Ａと他方側フレーム体９５Ｂとが接続されるように構成されている。
【０１１２】
上述したように、刈取部２の支持枠体Ｆは、機体横幅方向両端部において、分草フレーム９４、上下向きフレーム９６，９７及び引起し装置１１が、機体側面視で略三角形状に配置され、それらが連結されることにより、強固な支持構造が形成されている。その結果、支持枠体Ｆを、上記した分離箇所にて分離しても、一方側分割刈取部２Ａ及び他方側分割刈取部２Ｂの夫々において、強固なフレーム構造体が形成され、支持強度を有する構成となっている。
【０１１３】
刈取部２の支持枠体Ｆにおける一方側分割刈取部２Ａに対応する一方側の分割支持枠体ＦＡと、他の刈取部分割体に対応する他方側の分割支持枠体ＦＢとは、引起し装置１１の傾斜面と平行で且つ引起し装置１１よりも機体前方側に設定されている軸芯Ｘまわりで回動自在に連結される構成となっている。
【０１１４】
図１４〜図１９に示すように、一方側の分割支持枠体ＦＡ及び他方側の分割支持枠体ＦＢの夫々において、分割箇所の近傍に、上部側横向きフレーム９８と分草フレーム９４とにわたって上下方向に延びる連結用フレーム１２１，１２２が備えられている。
【０１１５】
説明を加えると、図１７，１８に示すように、他方側の分割支持枠体ＦＢ側の連結用フレーム１２１は、上下方向にわたって延び、上部側横向きフレーム９８の分割箇所と、右端から７番目の分草フレーム９４とに夫々連結されている。この連結用フレーム１２１は角筒状に形成され、側面視で略Ｌ字形に形成されている。連結用フレーム１２１の上部側箇所は、側面視にて引起し装置１１の引起しケース１４の前面に略平行な後上がり傾斜状態の起立姿勢に形成されている。
【０１１６】
図１４，１５，１６に示すように、一方側の分割支持枠体ＦＡの連結用フレーム１２２は、上下方向にわたって延び、上部側横向きフレーム９８の分割箇所と、後部横フレーム９３から前方に向けて延設された前後向き支持杆１２３とに夫々連結されている。前後向き支持杆１２３の前端部と上部側横向きフレーム９８とが縦向きの補助連結杆１２４により連結されている。従って、前後向き支持杆１２３が前後向きフレームに対応しており、縦向きの補助連結杆１２４により、前記連結用フレーム１２２に対する支持強度の補強が行われている。
【０１１７】
一方側の分割支持枠体ＦＡに備えられる連結用フレーム１２２も、他方側の分割支持枠体側の連結用フレーム１２１と同様に、角筒状に形成され、側面視で略Ｌ字形に形成されている。そして、上部側箇所は、側面視にて引起し装置１１の引起しケース１４の前面と略平行な後上がり傾斜状態の起立姿勢に形成されている。
【０１１８】
前記各連結用フレーム１２１，１２２には、夫々、一方側の分割支持枠体ＦＡを他方側の分割支持枠体ＦＢに対して前記軸芯Ｘまわりに回動自在に支持する回動支持部が取り付けられている。回動支持部は、引起し装置１１よりも機体前方側に突出する状態で設けられている。つまり、前記軸芯Ｘが引起し装置１１の傾斜面と平行で且つ引起し装置１１よりも機体前方側に設定されている。
【０１１９】
図１７，１８，２０に示すように、他方側の分割支持枠体の連結用フレーム１２１には、上下に間隔をあけて２箇所に、ブラケット１２５にて固定された状態で回動支軸としての上向きの支持ピン１２６を備えている。ブラケット１２５と支持ピン１２６により回動支持部を構成している。図１４，１６，２０に示すように、一方側の分割支持枠体ＦＡの連結用フレーム１２２には、上下の支持ピン１２６が嵌まり込む係合孔１２７が形成された側面視Ｌ形の係合部材１２８を備えている。係合部材１２８が回動支持部を構成している。従って、回動支軸としての支持ピン１２６は、引起し装置１１よりも機体前側において、引起し装置１１の前面に沿って上下に延びる状態で備えられている。
【０１２０】
係合部材１２８の係合孔１２７に支持ピン１２６に係合させた状態で、係合部材１２８をブラケット１２５にて受止め支持することにより、他方側の分割支持枠体ＦＡが支持ピン１２６の軸芯Ｘまわりで回動自在に支持される。
【０１２１】
図５，７に示すように、収納状態では、一方側分割刈取部２Ａの前面と、他方側分割刈取部２Ｂの前面とが向かい合う状態で折り重なる構成となっている。この場合、一方側分割刈取部２Ａの分草具１０は、他方側分割刈取部２Ｂの他方側の分草具１０との干渉を回避するために取り外している。
【０１２２】
図５，７に示すように、一方側分割刈取部２Ａに備えられる分草フレーム９４と、他方側分割刈取部２Ｂに備えられる分草フレーム９４とが、収納状態において、平面視にて刈幅方向に位置ずれするとともに、側面視にて重複する状態となるように設けられている。
【０１２３】
次に、伝動軸分割構造について説明する。
後部横フレーム９３の内部に備えられる動力伝達軸１０５は、刈幅方向の途中位置にて、一方側分割刈取部２Ａ側の一方側軸部１０５Ａと、他方側分割刈取部２Ｂ側の他方側軸部１０５Ｂとに分割形成されるとともに、通常使用状態において、軸連結部としての噛み合い式クラッチ１０５Ｃを介して一方側軸部１０５Ａと他方側軸部１０５Ｂとが一直線状に連なる状態で連動連結され、収納状態において、一方側軸部１０５Ａと他方側軸部１０５Ｂとに分離される構成となっている。
【０１２４】
図３０，３１に示すように、後部横フレーム９３は、一方側分割刈取部２Ａと他方側分割刈取部２Ｂとの分離箇所に対応する境界部において、一方側フレーム部９３Ａと他方側フレーム部９３Ｂとに左右に分割形成され、各フレーム部９３Ａ，９３Ｂが軸芯方向に沿ってフランジ接続されている。一方側フレーム部９３Ａのフランジ部１７０には、その接合面１７１からリング状に突出する突条部１７２が形成され、他方側フレーム部９３Ｂのフランジ部１７３には、突条部１７２が嵌まり合うように接合面１７４から周方向に沿って凹入する凹入溝１７５が形成されている。接合状態では、突条部１７２と凹入溝１７５とが嵌り合って径方向での位置決めが行われる。
【０１２５】
動力伝達軸１０５における一方側軸部１０５Ａと他方側軸部１０５Ｂとの接続分離箇所には、軸端部に互いに噛み合って連動して回動可能な噛み合い爪１７６，１７７が形成されている。他方側軸部１０５Ｂの噛み合い爪１７６は、他方側フレーム部９３Ｂのフランジ部１７３の接合面１７４よりも軸芯方向に沿って外方に突出している。一方側軸部１０５Ａの噛み合い爪１７７は、突条部１７２の突出側端部よりも軸芯方向内方側に入り込んでいる。このように構成することで、姿勢変更に伴って大きく移動する一方側分割刈取部２Ａにおいて、一方側軸部１０５Ａの噛み合い爪１７７が外方に突出することがなく、外物との接触による損傷を回避するようにしている。
【０１２６】
一方側フレーム部９３Ａと他方側フレーム部９３Ｂとがフランジ部１７０，１７３の接合面１７１，１７４同士を当て付けてボルトで連結されると、一方側軸部１０５Ａの噛み合い爪１７６と他方側軸部１０５Ｂの噛み合い爪１７７とが噛み合って連動状態となる。一方側フレーム部と他方側フレーム部とのフランジ連結を解除すると、一方側軸部１０５Ａと他方側軸部１０５Ｂとが分離される。
【０１２７】
図２７，２８に示すように、引起し駆動軸２０も動力伝達軸１０５と同様に、一方側分割刈取部２Ａと他方側分割刈取部２Ｂとの分割対応箇所において、一方側軸部２０Ａと他方側軸部２０Ｂとに分割されている。そして、一方側軸部２０Ａと他方側軸部２０Ｂとが、それらにわたって外嵌装着される断面六角形の角孔を有する伝動用筒体２０Ｃを介して接続分離自在に構成されている。伝動用筒体２Ｃは、軸芯方向に沿ってスライド操作可能に外嵌支持されている。収納状態では、左右いずれか一方の軸部２０Ａ，２０Ｂから伝動用筒体２０Ｃを抜き外しておき、通常使用状態では、伝動用筒体２０Ｃを、軸芯方向にスライドさせて左右両側の軸部２０Ａ，２０Ｂに共に嵌り合う連動状態に切り換えて、抜け止めピン２０Ｄにより軸芯方向の位置を固定する。
【０１２８】
従って、一方側分割刈取部２Ａが、通常使用状態から収納状態に切り換わる際に、動力伝達軸１０５と引起し駆動軸２０は分離させることができる。収納状態から通常使用状態に切り換わると、動力伝達軸１０５は、分離している左側軸部１０５Ａと他方側軸部１０５Ｂとが接近して噛み合い式クラッチ１０５Ｃにより連動状態に切り換わる。引起し駆動軸２０は伝動用筒体１５１により連動状態に切り換えることができる。
【０１２９】
〔ガイド機構〕
一方側分割刈取部２Ａが収納状態から通常使用状態に切り換わる際に、動力伝達軸１０５の一方側軸部１０５Ａと他方側軸部１０５Ｂとを適正連結状態に案内するガイド機構１６０が備えられている。ガイド機構１６０は、引起し装置１１の機体後部側であって且つ切断装置１２の機体後部側に備えられている。具体的には、ガイド機構１６０は、中間部横フレーム９５の一方側フレーム体９５Ａと他方側フレーム体９５Ｂとの接続箇所に備えられている。
【０１３０】
従って、ガイド機構１６０は、一方側分割刈取部２Ａの軸芯Ｘから離れた位置になるので、回動に伴って案内機能を発揮する際に、緩やかな円弧状の軌跡を描きながら案内することができ、無理なく円滑に案内することが可能となる。
【０１３１】
図２５，２６に示すように、ガイド機構１６０は、他方側フレーム体９５Ｂに備えられた筒部材としての円筒形状のボス部材１６１と、一方側フレーム体９５Ａに備えられた軸部材としての位置決めピン１６２とを備えるとともに、収納状態から通常使用状態に切り換わる際に、位置決めピン１６２がボス部材１６１に嵌り合うことにより案内するように構成されている。位置決めピン１６２は、一方側フレーム体９５Ａの前部側面に溶接にて一体連結されている。位置決めピン１６２は、ボス部材１６１に嵌り合う接続状態において、回動支軸としての支持ピン１２６の軸芯Ｘ（図５参照）を中心とする円弧状軌跡の接線方向、すなわち、機体横幅方向に沿って位置決めピン１６２が延びるように設けられている。
【０１３２】
図２５に示すように、位置決めピン１６２は、丸棒部材からなり、一方側フレーム体９５Ａにおける接続箇所に対応する端面から他方側フレーム体９５Ｂに向けて突出するように設けられている。又、突出側端部１６２ａが先端側ほど順次小径となるように先細状のテーパ面に形成されている。一方、ボス部材１６１は、円筒形に形成され、他方側フレーム体９５Ｂの前部側面に一体連結されており、接続状態において位置決めピン１６２の軸芯と同一軸芯上に位置するように設けられている。
【０１３３】
位置決めピン１６２の大径部１６２ｂの外径とボス部材１６１の内径とは、ガタツキの少ない状態で嵌り合うように寸法が設定されている。位置決めピン１６２がボス部材１６１に嵌まり込む際に、機体的なガタつきに起因して、位置決めピン１６２とボス部材１６１とが半径方向に少し位置ずれしていても、突出側端部１６２ａのテーパ面がボス部材１６１に接当して徐々に位置決めピン１６２の大径部１６２ｂとボス部材１６１とが嵌り合う状態になるように案内される。位置決めピン１６２の大径部１６２ｂとボス部材１６１とが嵌り合う状態になると、動力伝達軸１０５の一方側軸部１０５Ａと他方側軸部１０５Ｂとが適正連結状態になるように設定されている。その結果、一方側軸部１０５Ａと他方側軸部１０５Ｂとが接近して噛み合い式クラッチ１０５Ｃにより連動状態に切り換わるときに、一方側軸部１０５Ａと他方側軸部１０５Ｂとが回転軸芯が略一致して良好な回転駆動状態を得ることができる。
【０１３４】
ガイド機構１６０の案内作用により、一方側分割刈取部２Ａが適正な状態で位置合わせされて通常使用状態に切り換わった状態で、一方側フレーム体９５Ａと他方側フレーム体９５Ｂとが一体的に連結される。図２５，２６に示すように、一方側フレーム体９５Ａの下面側に連結板１６３が溶接固定され、その連結板１６３が他方側フレーム体９５Ｂの下方側に沿って突出するように延設されている。連結板１６３の延設部には、上下方向に挿通する２個の挿通孔１６４が形成されている。又、他方側フレーム体９５Ｂには、上下方向に貫通する状態で筒状体１６５が溶接固定されている。連結板１６３の下面側から挿通孔１６４及び筒状体１６５の内部を通して２本のボルト１６６を装着し、筒状体１６５の上側からナット１６７で締め付けて固定することにより、一方側フレーム体９５Ａと他方側フレーム体９５Ｂとが一体的に連結される。
【０１３５】
〔別実施形態〕
（１）上記実施形態では、動力伝達機構１３０が、無端回動帯として無端回動チェーン１３５を備える構成としたが、無端回動帯として無端ベルトを備える構成としてもよい。又、動力伝達機構１３０としては、無端回動帯を備える構成に代えて、ギア機構と回転軸とを備えた軸伝動構造を有するものでもよい。
【０１３６】
（２）上記実施形態では、動力伝達機構１３０が左側合流用穂先係止搬送装置７８における戻り経路Ｑ２に対応する箇所に備えられる構成としたが、この構成に代えて、搬送経路Ｑ１側に備えられる構成としてもよい。
【０１３７】
（３）上記実施形態では、動力伝達機構１３０を下方側から覆う巻付き防止カバー１４０の前部側箇所が、断面略Ｌ字形に形成されて大きく開放させる構成としたが、巻付き防止カバー１４０はこのような形状に限らず、例えば、前後方向全長にわたり、断面略Ｕ字形の形状にして、動力伝達機構１３０の全域を閉塞状態で覆うようにしてもよい。又、このような巻付き防止カバー１４０を備えずに、動力伝達機構１３０を開放状態で備える構成としてもよい。
【０１３８】
（４）上記実施形態では、８条刈りのコンバインにおいて、刈取部２における左２条分に対応する折り畳み側の一方側分割刈取部２Ａと、残り６条分に対応する他の他方側分割刈取部２Ｂとに折り畳み可能な構成としたが、一方側分割刈取部２Ａは、２条分に限らず、１条あるいは３条以上に構成してもよい。又、分割する構造を採用せず、刈取部２が全条にわたり一体的に設けられるコンバインでもよい。
【０１３９】
（５）上記実施形態では、８条刈りコンバインを示したが、７条刈りや９条刈り等でもよく、刈取条数は８条に限るものではない。
【産業上の利用可能性】
【０１４０】
本発明は、機体前部の刈取部に刈取穀稈を機体後方に向けて搬送する穀稈搬送装置が備えられたコンバインに適用できる。
【符号の説明】
【０１４１】
４５      穀稈搬送装置
７７      株元搬送装置
７７Ａ    株元側駆動輪
７７Ｂ    他の案内輪
７７Ｃ    株元側無端回動帯
７８      穂先搬送装置
７８Ａ    穂先側駆動輪
７８Ｂ    他の案内輪
７８Ｃ    穂先側無端回動帯
７８Ｄ    搬送支持体
１３０    動力伝達機構
１３１    駆動軸
１３２    駆動側回転体
１３３    駆動軸
１３４    従動側回転体
１３５    無端回動体
１４０    カバー
Ｑ１      搬送経路
Ｑ２      戻り経路
【図１】
2017225410.tif 000003
【図２】
2017225410.tif 000004
【図３】
2017225410.tif 000005
【図４】
2017225410.tif 000006
【図５】
2017225410.tif 000007
【図６】
2017225410.tif 000008
【図７】
2017225410.tif 000009
【図８】
2017225410.tif 000010
【図９】
2017225410.tif 000011
【図１０】
2017225410.tif 000012
【図１１】
2017225410.tif 000013
【図１２】
2017225410.tif 000014
【図１３】
2017225410.tif 000015
【図１４】
2017225410.tif 000016
【図１５】
2017225410.tif 000017
【図１６】
2017225410.tif 000018
【図１７】
2017225410.tif 000019
【図１８】
2017225410.tif 000020
【図１９】
2017225410.tif 000021
【図２０】
2017225410.tif 000022
【図２１】
2017225410.tif 000023
【図２２】
2017225410.tif 000024
【図２３】
2017225410.tif 000025
【図２４】
2017225410.tif 000026
【図２５】
2017225410.tif 000027
【図２６】
2017225410.tif 000028
【図２７】
2017225410.tif 000029
【図２８】
2017225410.tif 000030
【図２９】
2017225410.tif 000031
【図３０】
2017225410.tif 000032
【図３１】
2017225410.tif 000033